(57)【要約】【課題】α−トコフェロールの変色を防止しつつ、α−トコフェロールの重合禁止性能及び酸化防止性能を維持又は向上させることができるα−トコフェロール含有組成物を提供すること。【解決手段】α−トコフェロールと、アリールホスフィン化合物、シラザン化合物、及びシラノール化合物からなる群より選択される少なくとも一種の添加剤と、を含有し、添加剤の含有量が、α−トコフェロール１００質量部に対して、外配で０．１〜５０質量部であるα−トコフェロール含有組成物。【選択図】なし【特許請求の範囲】
【請求項１】
α−トコフェロールと、
アリールホスフィン化合物、シラザン化合物、及びシラノール化合物からなる群より選択される少なくとも一種の添加剤と、を含有し、
前記添加剤の含有量が、前記α−トコフェロール１００質量部に対して、外配で０．１〜５０質量部であるα−トコフェロール含有組成物。
【請求項２】
前記添加剤の含有量が、前記α−トコフェロール１００質量部に対して、外配で１〜３０質量部である請求項１に記載のα−トコフェロール含有組成物。
【請求項３】
前記アリールホスフィン化合物がトリフェニルホスフィンである請求項１又は２に記載のα−トコフェロール含有組成物。
【請求項４】
前記シラザン化合物が、１，１，３，３−テトラメチルジシラザン、又は１，１，１，３，３，３−ヘキサメチルジシラザンである請求項１又は２に記載のα−トコフェロール含有組成物。
【請求項５】
前記シラノール化合物が、トリフェニルシラノール又はジフェニルシランジオールである請求項１又は２に記載のα−トコフェロール含有組成物。
【請求項６】
α−トコフェロール１００質量部に対して、アリールホスフィン化合物、シラザン化合物、及びシラノール化合物からなる群より選択される少なくとも一種の添加剤を外配で０．１〜５０質量部添加するα−トコフェロールの着色防止方法。
【請求項７】
前記添加剤を外配で１〜３０質量部添加する請求項６に記載のα−トコフェロールの着色防止方法。
【請求項８】
前記アリールホスフィン化合物がトリフェニルホスフィンである請求項６又は７に記載のα−トコフェロールの着色防止方法。
【請求項９】
前記シラザン化合物が、１，１，３，３−テトラメチルジシラザン、又は１，１，１，３，３，３−ヘキサメチルジシラザンである請求項６又は７に記載のα−トコフェロールの着色防止方法。
【請求項１０】
前記シラノール化合物が、トリフェニルシラノール又はジフェニルシランジオールである請求項６又は７に記載のα−トコフェロールの着色防止方法。
【請求項１１】
請求項１〜５のいずれか一項に記載のα−トコフェロール含有組成物と、
重合性単量体又は前記重合性単量体の部分重合体と、を含有する重合禁止剤含有組成物。
【請求項１２】
前記重合性単量体が、アクリル酸若しくは前記アクリル酸のエステル、又はメタクリル酸若しくは前記メタクリル酸のエステルである請求項１１に記載の重合禁止剤含有組成物。
【請求項１３】
請求項１〜５のいずれか一項に記載のα−トコフェロール含有組成物を含有する抗酸化剤含有組成物。
【発明の詳細な説明】
【技術分野】
【０００１】
本発明はα−トコフェロール含有組成物、α−トコフェロールの着色防止方法、重合禁止剤含有組成物、及び抗酸化剤含有組成物に関する。更に詳しくは、毒性の低い添加剤として利用可能な、α−トコフェロール含有組成物、α−トコフェロールの着色防止方法、重合禁止剤含有組成物、及び抗酸化剤含有組成物に関する。
【背景技術】
【０００２】
近年、毒性の低い材料を使用するという要求が高まっている中、添加剤についても毒性の低いものを使用するという要求が高まっている。毒性の低い添加剤として、α−トコフェロールが、天然物由来の酸化防止剤、重合禁止剤として広く用いられており、その用途がますます拡大しつつある。
【０００３】
しかしながら、α−トコフェロールは、その使用環境によって変色を起こす場合がある。特に基質が淡色である場合、変色したα−トコフェロールの色が、材料の色として着色される場合がある。そのため、材料の用途によっては、このような着色を防止することが必要条件として要求されることもあり、改善が望まれている。
【０００４】
このようなα−トコフェロールの着色防止方法として、例えば、ホスファイトを添加する方法が公知であることが開示されている（例えば、特許文献１参照）。しかしながら、この方法では、着色防止効果が十分ではなかったり、着色をより促進したりする場合がある。また、使用するホスファイトの種類によっては、安全性に問題が生じる。
【０００５】
また、α−トコフェロールを精製することにより、着色の原因となる成分を除去する方法も開示されている（例えば、特許文献２〜４参照）。しかしながら、これらの方法ではα−トコフェロールの製造コストを大幅に増加させるため、現実に採用できる方法ではない。また、空気中等で保存していると、着色されてしまうという問題もある。
【０００６】
更に、α−トコフェロールの着色を抑えるために、シロキサン化合物を添加する方法が開示されている（例えば、特許文献５参照）。しかしながら、この方法は、シロキサン化合物を大過剰に添加しており、シロキサン化合物を併用する用途に限定されるという問題がある。
【先行技術文献】
【特許文献】
【０００７】
【特許文献１】特開２００３−２８６４１３号公報
【特許文献２】特開２０１１−１５７３０５号公報
【特許文献３】特開昭５１−１０００８１号公報
【特許文献４】特開昭４９−８００７４号公報
【特許文献５】特開２０１０−１４４１４３号公報
【発明の概要】
【発明が解決しようとする課題】
【０００８】
本発明は、このような従来技術の有する問題点に鑑みてなされたものである。その課題とするところは、α−トコフェロールの変色を防止しつつ、α−トコフェロールの重合禁止性能及び酸化防止性能を維持又は向上させることができるα−トコフェロール含有組成物を提供することにある。
【課題を解決するための手段】
【０００９】
本発明者らは上記課題を解決すべく鋭意検討した結果、α−トコフェロール１００質量部に対して、外配で０．１〜５０質量部の所定の化合物を含む添加剤を配合することによって、上記課題を解決することが可能であることを見出し、本発明を完成するに至った。
【００１０】
即ち、本発明によれば、以下に示すα−トコフェロール含有組成物、α−トコフェロールの着色防止方法、重合禁止剤含有組成物、及び抗酸化剤含有組成物が提供される。
【００１１】
［１］α−トコフェロールと、アリールホスフィン化合物、シラザン化合物、及びシラノール化合物からなる群より選択される少なくとも一種の添加剤と、を含有し、前記添加剤の含有量が、前記α−トコフェロール１００質量部に対して、外配で０．１〜５０質量部であるα−トコフェロール含有組成物。
【００１２】
［２］前記添加剤の含有量が、前記α−トコフェロール１００質量部に対して、外配で１〜３０質量部である前記［１］に記載のα−トコフェロール含有組成物。
【００１３】
［３］前記アリールホスフィン化合物がトリフェニルホスフィンである前記［１］又は［２］に記載のα−トコフェロール含有組成物。
【００１４】
［４］前記シラザン化合物が、１，１，３，３−テトラメチルジシラザン、又は１，１，１，３，３，３−ヘキサメチルジシラザンである前記［１］又は［２］に記載のα−トコフェロール含有組成物。
【００１５】
［５］前記シラノール化合物が、トリフェニルシラノール又はジフェニルシランジオールである前記［１］又は［２］に記載のα−トコフェロール含有組成物。
【００１６】
［６］α−トコフェロール１００質量部に対して、アリールホスフィン化合物、シラザン化合物、及びシラノール化合物からなる群より選択される少なくとも一種の添加剤を外配で０．１〜５０質量部添加するα−トコフェロールの着色防止方法。
【００１７】
［７］前記添加剤を外配で１〜３０質量部添加する前記［６］に記載のα−トコフェロールの着色防止方法。
【００１８】
［８］前記アリールホスフィン化合物がトリフェニルホスフィンである前記［６］又は［７］に記載のα−トコフェロールの着色防止方法。
【００１９】
［９］前記シラザン化合物が、１，１，３，３−テトラメチルジシラザン、又は１，１，１，３，３，３−ヘキサメチルジシラザンである前記［６］又は［７］に記載のα−トコフェロールの着色防止方法。
【００２０】
［１０］前記シラノール化合物が、トリフェニルシラノール又はジフェニルシランジオールである前記［６］又は［７］に記載のα−トコフェロールの着色防止方法。
【００２１】
［１１］前記［１］〜［５］のいずれかに記載のα−トコフェロール含有組成物と、重合性単量体又は前記重合性単量体の部分重合体と、を含有する重合禁止剤含有組成物。
【００２２】
［１２］前記重合性単量体が、アクリル酸若しくは前記アクリル酸のエステル、又はメタクリル酸若しくは前記メタクリル酸のエステルである前記［１１］に記載の重合禁止剤含有組成物。
【００２３】
［１３］前記［１］〜［５］のいずれかに記載のα−トコフェロール含有組成物を含有する抗酸化剤含有組成物。
【発明の効果】
【００２４】
本発明のα−トコフェロール含有組成物は、α−トコフェロールの変色を防止しつつ、α−トコフェロールの重合禁止性能及び酸化防止性能を維持又は向上させることができるという効果を奏するものである。
【００２５】
本発明のα−トコフェロールの着色防止方法は、α−トコフェロールの変色を防止することができるという効果を奏する。
【００２６】
本発明の重合禁止剤含有組成物は、α−トコフェロールの変色により材料が変色することを防止しつつ、材料の重合を防止することができるという効果を奏するものである。
【００２７】
本発明の抗酸化剤含有組成物は、α−トコフェロールの変色により基質が変色することを防止しつつ、基質の酸化を防止することができるという効果を奏するものである。
【発明を実施するための形態】
【００２８】
以下、本発明の実施の形態について説明する。但し、本発明は以下の実施の形態に限定されるものではない。本発明の趣旨を逸脱しない範囲で、当業者の通常の知識に基づいて、以下の実施の形態に対し適宜変更、改良等が加えられたものも本発明の範囲に含まれることが理解されるべきである。
【００２９】
１．α−トコフェロール含有組成物：
本発明に係るα−トコフェロール含有組成物は、α−トコフェロールと、アリールホスフィン化合物、シラザン化合物、及びシラノール化合物からなる群より選択される少なくとも一種の添加剤と、を含有するものである。また、添加剤の含有量は、α−トコフェロール１００質量部に対して、外配で０．１〜５０質量部である。
【００３０】
本発明に係るα−トコフェロール含有組成物は、α−トコフェロールの変色を防止しつつ、α−トコフェロールの重合禁止性能及び酸化防止性能を維持又は向上させることができる。α−トコフェロールが、重合禁止性能及び酸化防止性能を有することは公知の事実である。しかしながら、上記種類の添加剤を配合することで、重合禁止性能及び酸化防止性能を維持又は向上させることは、本出願人の鋭意検討の結果によって見出されたものである。
【００３１】
（α−トコフェロール）
α−トコフェロールは、光学活性物質である。本発明に係るα−トコフェロール含有組成物に含有されるα−トコフェロールは、ラセミ化合物を用いてもよく、鏡像異性体の一種のみを用いても良い。
【００３２】
α−トコフェロールは市販品をそのまま用いても良い。但し、α−トコフェロールの変色を防止するという観点から、従来公知の方法で精製を行ったものを用いることが好ましい。精製を行ったものを用いることで、本発明に係るα−トコフェロール含有組成物は、より一層α−トコフェロールの変色を防止することができる。
【００３３】
（添加剤）
添加剤は、アリールホスフィン化合物、シラザン化合物、及びシラノール化合物からなる群より選択される少なくとも一種の化合物である。これらの添加剤を、α−トコフェロール１００質量部に対して、外配で０．１〜５０質量部含有させることで、α−トコフェロール含有組成物の着色を防止することができる。
【００３４】
アリールホスフィン化合物としては、従来公知の化合物を用いることができる。具体的には、トリフェニルホスフィン、トリトリルホスフィン、トリキシリルホスフィン、トリナフチルホスフィン等のトリアリールホスフィン；モノシクロへキシルジフェニルホスフィン、モノプロピルジフェニルホスフィン、モノブチルジフェニルホスフィン等のアルキルジアリールホスフィンを挙げることができる。これらの中でも、トリフェニルホスフィンが好ましい。
【００３５】
シラザン化合物としては、従来公知の化合物を用いることができる。具体的には、１，１，３，３−テトラメチルジシラザン、１，１，１，３，３，３−へキサメチルジシラザン、ジブチルテトラメチルジシラザン、ヘキサエチルジシラザン、ジビニルテトラメチルジシラザン、ジフェニルテトラメチルジシラザン、テトラフェニルジメチルジシラザン、２，２，６，６−テトラメチル−２，６−ジシラピペリジン、２，２，５，５−テトラメチル−２，５−ジシラピロリジン等を挙げることができる。これらの中でも、１，１，３，３−テトラメチルジシラザン、１，１，１，３，３，３−へキサメチルジシラザンが好ましい。
【００３６】
シラノール化合物は、シラノール基（Ｓｉ−ＯＨ）を有する化合物であり、Ｓｉのアルコキシド化合物のアルコキシル基が加水分解された化合物と等価である。シラノール化合物として、具体的には、一般式：（Ｒ１）ｊＳｉ（ＯＨ）ｋで表される化合物がある。
【００３７】
Ｒ１は、置換基を有していてもよいアルキル基、又は置換基を有していてもよいアリール基であり、ｊは、１〜３の整数を表し、ｋは、１〜３の整数を表す。但し、ｊ＋ｋは、４である。ｊが２又は３である場合、複数のＲ１は、同一であっても良く、異なっていても良い。
【００３８】
一般式中、Ｒ１として表されるアルキル基は、通常、炭素数１〜４程度の低級アルキル基である。具体的には、メチル基、エチル基、プロピル基、イソプロピル基、ブチル基、イソブチル基、ｓｅｃ−ブチル基等を挙げることができる。また、アリール基として、具体的には、フェニル基がある。アルキル基、アリール基は、置換基を有していてもよい。置換基としては、例えば、フッ素原子等がある。
【００３９】
シラノール化合物として、具体的には、トリフェニルシラノール、ジフェニルシランジオールが好ましい。
【００４０】
添加剤の含有量は、α−トコフェロール１００質量部に対して、外配で０．１〜５０質量部であり、１〜３０質量部であることが好ましく、１〜１０質量部であることが特に好ましい。添加剤の含有量がこの範囲にあることで、α−トコフェロールの変色を防止できるとともに、α−トコフェロールの重合禁止性能及び酸化防止性能の維持又は向上を図ることができる。
【００４１】
（その他の成分）
本発明に係るα−トコフェロール含有組成物は、その効果を損なわない範囲でその他の成分を含有するものであってもよい。その他の成分としては、例えば、溶剤がある。
【００４２】
２．α−トコフェロールの着色防止方法：
本発明に係るα−トコフェロールの着色防止方法は、α−トコフェロール１００質量部に対して、アリールホスフィン化合物、シラザン化合物、及びシラノール化合物からなる群より選択される少なくとも一種の添加剤を外配で０．１〜５０質量部添加する方法である。
【００４３】
α−トコフェロール及び添加剤、並びに添加剤の配合量に関しては、「１．α−トコフェロール含有組成物」に記載した内容と同じことが言える。
【００４４】
α−トコフェロール１００質量部に対して、添加剤を外配で０．１〜５０質量部添加することで、例えば空気による酸化等に起因するα−トコフェロールの変色を防止することができる。
【００４５】
３．重合禁止剤含有組成物：
本発明に係る重合禁止剤含有組成物は、「１．α−トコフェロール含有組成物」に記載のα−トコフェロール含有組成物と、重合性単量体又は重合性単量体の部分重合体と、を含有するものである。重合性単量体又は重合性単量体の部分重合体は、重合性の材料であり、保存条件によっては、光や熱等により重合する場合がある。しかしながら、本発明に係る重合禁止剤含有組成物は、「１．α−トコフェロール含有組成物」に記載のα−トコフェロール含有組成物を含有するため、保存条件での光や熱等でも、重合が抑制されるものである。
【００４６】
α−トコフェロールが重合禁止性能を有することは公知の事実である。しかしながら、本出願人は、α−トコフェロールの変色を防止することを目的として加えた添加剤により、α−トコフェロールの重合禁止性能が維持又は向上するという、当業者が公知の事実から想到されない有利な効果を見出したものである。そのため、本発明に係る重合禁止剤含有組成物は、α−トコフェロールの変色による材料の変色を防止しつつ、重合性単量体又は重合性単量体の部分重合体の重合が抑制されるので、例えば、ポリマー製造の材料等としての利用を期待することができる。
【００４７】
（重合性単量体又は重合性単量体の部分重合体）
重合性単量体又は重合性単量体の部分重合体としては特に限定されるものではない。但し、「１．α−トコフェロール含有組成物」の重合禁止性能を最も効果的に発揮するという観点から、アクリル酸若しくはアクリル酸のエステル、又はメタクリル酸若しくはメタクリル酸のエステルであることが好ましい。
【００４８】
アクリル酸エステルとして、具体的には、アクリル酸メチル、アクリル酸エチル、アクリル酸ブチル、アクリル酸２−エチルヘキシル等を挙げることができる。また、メタクリル酸エステルとして、具体的には、メタクリル酸メチル、メタクリル酸エチル、メタクリル酸ブチル、メタクリル酸シクロヘキル、メタクリル酸２−エチルヘキシル、メタクリル酸ステアリル、メタクリル酸ラウリル等を挙げることができる。
【００４９】
４．抗酸化剤含有組成物：
本発明に係る抗酸化剤含有組成物は、「１．α−トコフェロール含有組成物」に記載のα−トコフェロール含有組成物を含有するものである。食品や医薬品包装等の分野に使用される材料の中には、酸化され易い材料が用いられることが多々ある。そのため、低毒性の酸化防止剤として、α−トコフェロールを配合することがあった。しかしながら、α−トコフェロールが変色することで、製品が変色し、販売に適しなくなる場合があった。
【００５０】
一方、本出願人は、α−トコフェロールの変色を防止することを目的として加えた添加剤により、α−トコフェロールの酸化防止性能が維持又は向上するという、当業者が公知の事実から想到されない有利な効果を見出したものである。そのため、本発明に係る抗酸化剤含有組成物は、α−トコフェロールの酸化防止性能が維持又は向上しつつ、α−トコフェロールが変色することが抑制されたα−トコフェロール含有組成物を含有するので、例えば、食品や医薬品包装等の分野での利用を期待することができる。
【実施例】
【００５１】
以下、本発明を実施例に基づいて具体的に説明する。但し、本発明はこれらの実施例に限定されるものではない。なお、実施例、比較例中の「部」及び「％」は、特に断らない限り質量基準である。また、各種物性値の測定方法、及び諸特性の評価方法を以下に示す。
【００５２】
（実施例１〜５、比較例１〜２：ＮＯｘ試験）
ＮＯｘ試験は、酸化やＮＯｘ変色に対する色相の堅ろう性を見るための促進試験である。ＮＯｘ試験の操作を以下に記す。（１）表１に示すように、α−トコフェロール５ｇと所定量の添加剤をスクリュー管にはかり、Ｎ，Ｎ−ジメチルアセトアミド１５ｇを加え、栓をして、超音波洗浄機にかけて溶解した。（２）ＮＯｘ処理する前のサンプル液の色数をガードナー比色計で標準液と比較し、求めた。（３）サンプル液をバイアル瓶（３０ｍｌ）に１０ｇはかりとり、ゴムキャップとアルミホルダーで密栓した。（４）ＪＩＳ  Ｌ０８５５（酸化窒素ガスに対する染色堅ろう度試験方法）に準じる酸化窒素ガス発生装置で発生させたＮＯｘガスを、シリンジを使って２ｍｌとり、サンプル液を入れたバイアル瓶に注入し、よく振ってＮＯｘガスとサンプル液を混ぜた。（５）室温にて１時間放置後、ガードナー比色計で標準液と比較し、色数を求めた。なお、この試験例で用いたガードナー比色計による色数は、ＪＩＳ  Ｋ−００７１−２に準ずるものである。結果を表１に示す。
【００５３】
【表１】
2013237720.tif 000002
【００５４】
上記結果から、ＮＯｘ試験においては、添加剤の種類及び添加量を制限することで、α−トコフェロールの変色を有効に抑制できることがわかる（実施例１〜４）。但し、シラノール化合物を用いた場合、α−トコフェロールの変色を抑制する効果は観測されなかった（実施例５）。また、従来、α−トコフェロールの変色を抑制するために用いられたホスファイトを使用しても、α−トコフェロールの変色を抑制する効果は観測されなかった（比較例１及び２）。
【００５５】
（実施例６〜８、比較例３〜４：加熱試験）
加熱試験の操作を以下に記す。（１）表２に示すように、α−トコフェロール５ｇと所定量の添加剤をサンプル瓶にはかり、Ｎ，Ｎ−ジメチルアセトアミド１５ｇを加え、溶解した。（２）サンプル瓶を７０℃のオーブン中で所定時間加熱した。（３）サンプル液の色相変化を観測した。結果を表２に示す。なお、実務上は「黄色」までは使用に耐えうるものである。
【００５６】
【表２】
2013237720.tif 000003
【００５７】
上記結果から、加熱試験においては、添加剤としてシラノール化合物を用いることで、１４日後でもα−トコフェノールの変色を有効に防止できることがわかる（実施例８）。但し、アリールホスフィン化合物又はシラザン化合物を用いた場合、α−トコフェロールの変色を抑制する効果は観測されなかった（実施例６及び７）。また、従来、α−トコフェロールの変色を抑制するために用いられたホスファイトを使用しても、α−トコフェロールの変色を抑制する効果は観測されなかった（比較例３及び４）。
【００５８】
上記ＮＯｘ試験及び加熱試験の結果から、条件に応じて、添加剤の種類及び添加量を制限することで、α−トコフェノールの変色を有効に防止することができることがわかる。そのため、本発明のα−トコフェロール含有組成物は、添加剤の種類及び添加量を変更することで、広範な分野でα−トコフェロールの変色が防止された添加剤としての利用が可能であることがわかる。
【００５９】
（実施例９〜１２、比較例５〜６：重合禁止性能評価試験）
（１）市販のアクリル酸エステルを１０％ＮａＯＨ水溶液３０ｍｌで３回洗浄して抽出した後、イオン交換水で３回洗浄してｐＨが中性になるのを確認した。（２）無水硫酸マグネシウムを加え、攪拌した後、濾過し、重合禁止剤として添加されているｐ−メトキシフェノールを除去したアクリル酸エステル調製液とした。（３）表３に示すようにα−トコフェロール含有組成物１０ｍｇを量り、１０ｍｌメスフラスコに入れ調製液でメスアップした。（４）この溶液０．１ｍｌをマイクロピペットで量り、１０ｍｌメスフラスコに入れ調製液でメスアップし、α−トコフェロール含有組成物１０ｐｐｍ試験溶液とした。
【００６０】
試験溶液をＴＧ−ＤＴＡ装置測定用試料容器に入れ、所定温度で保ち、ＤＴＡの発熱ピークの立ち上がりまでを誘導時間とした。誘導時間が長いほど、重合禁止性能に優れている。測定条件は、装置：「ＴＧ  ８１２０（リガク社製）」、温度：１３５℃、雰囲気：Ａｒ雰囲気、仕込み量：約１０ｍｇである。結果を表３に示す。なお、比較例６は、α−トコフェロールも加えていないブランクのデータを示す。
【００６１】
【表３】
2013237720.tif 000004
【００６２】
上記結果から、トリフェニルホスフィンを添加剤として含有するα−トコフェロール含有組成物は、α−トコフェロールを単独で使用する場合と比較して、重合禁止性能が同程度（実施例１０）、或いは向上することがわかる（実施例９）。また、ヘキサメチルジシラザンを添加剤として含有するα−トコフェロール含有組成物は、α−トコフェロールを単独で使用する場合と比較して、重合禁止性能が同程度であることがわかる（実施例１１）。更に、トリフェニルシラノールを添加剤として含有するα−トコフェロール含有組成物は、α−トコフェロールを単独で使用する場合と比較して、重合禁止性能が向上することがわかる（実施例１２）。しかしながら、いずれの添加剤であっても、α−トコフェロールを使用しない場合に比べて重合禁止性能は向上していた。
【００６３】
（実施例１３〜１６、比較例７〜８：酸化防止性能評価試験）
試験はＲＢＯＴ試験（回転ボンベ式酸化安定度試験、ＪＩＳ  Ｋ２５１４）で行った。試験条件は、α−トコフェロール含有組成物の濃度を０．２％、試験温度を１５０℃とした。また、基質には、鉱油（＃１５０  ニュートラル油）を用いた。誘導時間が長いほど、酸化防止性能に優れている。結果を以下に示す。なお、比較例８は、α−トコフェロールも加えていないブランクのデータを示す。
【００６４】
【表４】
2013237720.tif 000005
【００６５】
上記結果から、トリフェニルホスフィンを添加剤として含有するα−トコフェロール含有組成物は、α−トコフェロールを単独で使用する場合と比較して、酸化防止性能が同程度（実施例１４）、或いは向上することがわかる（実施例１３）。また、ヘキサメチルジシラザン又はトリフェニルシラノールを添加剤として含有するα−トコフェロール含有組成物は、α−トコフェロールを単独で使用する場合と比較して、酸化防止性能が同程度であることがわかる（実施例１５及び１６）。しかしながら、いずれの添加剤であっても、α−トコフェロールを使用しない場合に比べて酸化防止性能は向上していた。
【００６６】
上記重合禁止性能評価試験及び酸化防止性能評価試験の結果から、添加剤の種類及び添加量を制限することで、α−トコフェノールの重合禁止性能及び／又は酸化防止性能を維持又は向上させることができることがわかる。そのため、本発明のα−トコフェロール含有組成物は、添加剤の種類及び添加量を変更することで、重合禁止剤又は抗酸化剤しての利用が可能であることがわかる。
【産業上の利用可能性】
【００６７】
本発明のα−トコフェロール含有組成物は、毒性の低い添加剤として、今後、食品、医薬品、及びそれらの包装材料、或いはポリマー加工等の種々の分野での利用が期待される。